(57)【要約】      （修正有）【課題】温かいトイレットペーパーが取り出せる、トイレットペーパーホルダーを提供する。【解決手段】トイレットペーパーホルダーの上蓋１、下受け皿２、両側板３，３のいずれか又は全てに通電により発熱する発熱体が設けられ、トイレットペーパーを温めて保温出来る事を特徴とする温かいトイレットペーパーホルダー。【選択図】図１
0003155188.tif 000002
【実用新案登録請求の範囲】
【請求項１】
トイレットペーパーホルダーの上蓋（１）、下受け皿（２）、両側板（３．３）のいずれか又は全てに通電により発熱する発熱体（８）が設けられ、トイレットペーパーを温めて保温出来る事を特徴とする温かいトイレットペーパーホルダー。
【請求項２】
上記発熱体（８）が設けられているのは、上蓋（１）及び／又は下受け皿（２）であって、両側板（３．３）は保温性の優れた材料で形成し、トイレットペーパーを温めて保温出来る事を特徴とする温かいトイレットペーパーホルダー。
【考案の詳細な説明】
【技術分野】
【０００１】  本考案は、トイレットペーパーを温める為、通電により発熱する発熱体を設けたトイレットペーパーホルダーに関するものである。
【背景技術】
【０００２】  従来トイレットペーパーは常に外気に触れている為常温であり、冬季もその温度のまま使用していた。従来の技術では、トイレットペーパーが覆われているものの、気温の影響を受けやすい。又、トイレットペーパーをトイレットペーパーホルダーで温めるものは特許文献には見受けられない。
【考案の開示】
【考案が解決しようとする課題】
【０００３】  一年中を通してトイレットペーパーは常温である。特に冬季になると気温、室温共に下がり、トイレットペーパーもその影響を受ける。
冷たいトイレットペーパーの使用は、心身共に不快である。従ってトイレットペーパーを温める事により、前述の欠点を解決しようとするものである。
そこで本考案は、トイレットペーパーホルダー本体に通電により発熱する発熱体を設けてトイレットペーパーを温め、又、本体両側板に保温性の優れた材料を用いる事により、省電力でトイレットペーパーを温かく保温出来る為、問題点を解決している。
【課題を解決する為の手段】
【０００４】  請求項１記載の温かいトイレットペーパーホルダーは、上蓋（１）、下受け皿（２）、両側板（３．３）のいずれか又は全てに通電により発熱する発熱体（８）が設けられ、トイレットペーパーを温めて保温出来る事を特徴とする。
【０００５】  請求項２記載の温かいトイレットペーパーホルダーは、上蓋（１）及び／又は下受け皿（２）であって、両側板（３．３）は保温性の優れた材料で形成し、トイレットペーパーを温めて保温出来る事を特徴とする。
【０００６】  本考案で用いる発熱体（８）としては、例えば図４に示すように、金属板に家庭用電源に繋ぐプラグ（５）から流れているコードの一方線を金属板の片端に、他方線を金属板の他端に接続したものが挙げられ、このように加工した金属板を発熱体（８）として、上蓋（１）の下側や下受け皿（２）の上側、両側板（３，３）の内側に設けるのが良い。
【考案の効果】
【０００７】  請求項１記載の温かいトイレットペーパーホルダーは、本体に通電により発熱する発熱体と保温性の優れた材料を備えた事を特徴とする為、冬季や気温・室温の低い日でもトイレットペーパーは、温かく使用できる。
上述の様に本考案の、温かいトイレットペーパーホルダーは冬季や気温の低い日に使用しても不快な思いはせず気持ちよく使用でき、快便の為にも役立つ。
【０００８】  請求項２記載の温かいトイレットペーパーホルダーは、上記効果を発現すると共に更に省電力型である。
【考案を実施する為の最良の形態】
【０００９】  温かいトイレットペーパーホルダーの本体上蓋（１）内部、下受け皿（２）内部、両側板（３，３）内部のいずれか又は、全てに通電により発熱する発熱体（８）を設けて熱源とする。
トイレットペーパーとの接触部分は、熱伝導効率が良く、なおかつ耐久性に優れた材料を使用する。又、上蓋（１）、下受け皿（２）、トイレットペーパーの芯を止める両側板（３，３）に熱漏れを防ぐ為、内部に保温性・断熱性の優れた材料を使用する。
上蓋前部に電源の入・切機能（６）を付け、多様なニーズに応える。
【実施例】
【００１０】  以下、添付図面に従って一実施例を説明する。
図１の１は開閉式上蓋であり図２に示すように、三層の構成とし外周部１−１はプラスティックで形成し、その中に断熱性と保温性に優れている厚さ５ｍｍの発泡スチロール１−２を設け、トイレットペーパーに近い下側は通電により発熱する発熱体（８）とした。この発熱体（８）は図４で示すように、金属板に家庭用電源に繋ぐプラグ（５）から流れているコードの一方線を金属板の片端に、他方線を金属板の他端に接続されたものとした。
図２の６は電源入切スイッチで本考案事例では上蓋前部に取り付けた。
図２の７は紙切部であり、トイレットペーパーを切断し易い形状とする。
図１の２は下受け皿である。この下受け皿（２）は図３に示すように三層の構成とし、外周部２−１はプラスティックで形成し、その中に断熱性と保温性に優れている厚さ５ｍｍの発泡スチロール２−２を設け、トイレットペーパーに近い上側は上蓋（１）で用いたものと同じ発熱体（８）を用いた。
図１の３は側面板である。請求項１記載の温かいトイレットペーパーホルダーでは、上蓋（１）、下受け皿（２）と同じように三層の構成とし、外周部はプラスティックで形成し、その中に断熱性と保温性に優れている厚さ５ｍｍの発泡スチロールを設け、トイレットペーパーに近い内側は上蓋（１）で用いたものと同じ発熱体（８）を用いた。
図１の４はトイレットペーパーの芯を止める部分である。
図１の５はコンセント用プラグである。
【産業上の利用の可能性】
【００１１】  寒冷期にも心身共に気持ち良くトイレットペーパーが使える温かいトイレットペーパーホルダーを提供する。
【図面の簡単な説明】
【００１２】
【図１】  本考案の温かいトイレットペーパーホルダーの一実施例を示す説明図である。
【図２】  本考案の上蓋の構成を示す説明図である。
【図３】  本考案の下受け皿の構成を示す説明図である。
【図４】  本考案の上蓋内部と下受け皿内部に設ける通電により発熱する発熱体の説明図である。
【符号の説明】
【００１３】  １  開閉式の上蓋
１−１  外周部のプラスティック等
１−２  発泡スチロール等保温材
２  下受け皿
２−１  外周部のプラスティック等
２−２  発泡スチロール等保温材
３  側面板
４  芯の止め部
５  コンセント用プラグ
６  電源入切のスイッチ
７  紙切部
８  金属板の発熱体
【図１】
0003155188.tif 000003
【図２】
0003155188.tif 000004
【図３】
0003155188.tif 000005
【図４】
0003155188.tif 000006
【手続補正書】
【提出日】平成21年8月11日(2009.8.11)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーホルダーの上蓋（１）、下受け皿（２）、両側板（３，３）のいずれか又は全てに通電により発熱する発熱体（８）が設けられ、トイレットペーパーを温めて保温出来る事を特徴とする温かいトイレットペーパーホルダー。
【請求項２】
上記発熱体（８）が設けられているのは、上蓋（１）及び／又は下受け皿（２）であって、両側板（３，３）は保温性の優れた材料で形成し、トイレットペーパーを温めて保温出来る事を特徴とする請求項１に記載の温かいトイレットペーパーホルダー。
【手続補正２】
【補正対象書類名】明細書
【補正対象項目名】０００４
【補正方法】変更
【補正の内容】
【０００４】  請求項１記載の温かいトイレットペーパーホルダーは、上蓋（１）、下受け皿（２）、両側板（３，３）のいずれか又は全てに通電により発熱する発熱体（８）が設けられ、トイレットペーパーを温めて保温出来る事を特徴とする。
【手続補正３】
【補正対象書類名】明細書
【補正対象項目名】０００５
【補正方法】変更
【補正の内容】
【０００５】  請求項２記載の温かいトイレットペーパーホルダーは、上蓋（１）及び／又は下受け皿（２）であって、両側板（３，３）は保温性の優れた材料で形成し、トイレットペーパーを温めて保温出来る事を特徴とする。